(57)【要約】【課題】ごみ詰まりや絡みを減少させつつ、省スペースで初期投資費用が低く、維持費用も安いごみ収集システムを提供する。【解決手段】筒状のドラム８と、ドラム８の軸方向一方側に受入開口９を備え、ドラムの軸方向他方側に排出開口１０を備えるごみ貯留機５と、ごみ貯留機５の下流側に配置され、排出開口１０から排出されたごみを上方へ搬送する搬送装置６と、を有するごみ収集システム１であって、搬送装置６は、スクリュー羽根１７と、スクリュー羽根１７を収容するとともに、少なくともスクリュー羽根１７の下方がスクリュー羽根の外径に沿う形状の筒体１８と、を有する無軸スクリューコンベアであることを特徴とするごみ収集システム。【選択図】図２
2014019550.tif 000002
【特許請求の範囲】
【請求項１】
筒状のドラムと、前記ドラムの軸方向一方側に受入開口を備え、前記ドラムの軸方向他方側に排出開口を備えるごみ貯留機と、
前記ごみ貯留機の下流側に配置され、前記排出開口から排出されたごみを上方へ搬送する搬送装置と、を有するごみ収集システムであって、
前記搬送装置は、スクリュー羽根と、前記スクリュー羽根を収容するとともに、少なくとも前記スクリュー羽根の下方が前記スクリュー羽根の外径に沿う形状の筒体と、を有する無軸スクリューコンベアであることを特徴とするごみ収集システム。
【請求項２】
前記スクリュー羽根は、前記筒体の内周面に略直交する螺旋状の板部材からなり、前記スクリュー羽根の上方を向く面には、複数の突起が設けられていることを特徴とする請求項１に記載のごみ収集システム。
【請求項３】
前記突起は、前記スクリュー羽根の巻き方向に直交する方向に延在する突条であることを特徴とする請求項２に記載のごみ収集システム。
【請求項４】
前記突条は、前記巻き方向に所定間隔で設けられていることを特徴とする請求項３に記載のごみ収集システム。
【請求項５】
前記突条の角部は丸くＲ処理されていることを特徴とする請求項３又は請求項４に記載のごみ収集システム。
【請求項６】
前記突起は、規則的に配置された複数の半球状の隆起であることを特徴とする請求項２に記載のごみ収集システム。
【発明の詳細な説明】
【技術分野】
【０００１】
本発明は、集合住宅などから排出されるごみを収集するごみ収集システムに関する。
【背景技術】
【０００２】
マンションなどの複数階層を有する集合住宅においては、居住者のごみ廃棄の簡便化を測るため、各階に設けられたごみ投入口を介したごみの廃棄を可能にしている。ごみ投入口に投入されたごみは、集合住宅を上下に貫通するダストシュート中を落下した後、ダストシュート毎に設けられた回転ドラム式のごみ貯留機に貯留される。ごみは一時的にごみ貯留機に貯留され、適宜ごみ収集車によって回収される。
【０００３】
例えば、ごみ貯留機は集合住宅の地階（地下）に設けられるが、ごみ収集車が地階にアクセスできない場合には、地階から地上階へごみを搬送する搬送手段が必要となる。
搬送手段としては、特許文献１に記載されているような真空輸送方式による輸送管を用いた吸引方式や、ベルトコンベアを用いた方式が知られている。また、ごみをカートなどに貯留した後、エレベータなどで人力によって搬送する方法も知られている。さらに、特許文献２に記載されているような、スクリューコンベアを利用したものが知られている。
【先行技術文献】
【特許文献】
【０００４】
【特許文献１】特許第２８３９１４０号公報
【特許文献２】特許第４２８５７７４号公報
【発明の概要】
【発明が解決しようとする課題】
【０００５】
しかしながら、真空輸送設備は広範囲なごみ収集を行う設備であり、分譲マンション単体への納入は初期投資費用、維持費等の費用が高価である。また、集じん機、破砕機等の附帯設備が必要であり、設置スペース、維持費も増大するという問題がある。
【０００６】
また、ベルトコンベアを用いた方式では、ベルトコンベアの設置により、大きな地下スペースが必要となる。また、ごみこぼれ対策として換気設備、排水設備が必要であり、更に維持費が増加するという問題がある。
また、人力による方式では、カートなどに貯留するための人員または、附帯設備が必要であり、トータルな運用費用が増大し、住民負担が増加するという問題がある。
【０００７】
さらに、スクリューコンベアでは小さいごみの搬送は適しているが、住宅等のゴミ袋に入ったごみを輸送する場合は、一次処理として破砕を行うなどの附帯設備が必要である。即ち、従来のスクリューコンベアは、中心軸を有しているため大きなごみの搬送には適していない。大きなごみの搬送に対応するためには、スクリューコンベアを大径化する必要があり、大きな地下スペースが必要となる。
【０００８】
この発明は、このような事情を考慮してなされたもので、その目的は、ごみ詰まりや絡みを減少させつつ、省スペースで初期投資費用が低く、維持費用も安いごみ収集システムを提供することにある。
【課題を解決するための手段】
【０００９】
上記課題を解決するために、この発明は以下の手段を提供している。
即ち、本発明のごみ収集システムは、筒状のドラムと、前記ドラムの軸方向一方側に受入開口を備え、前記ドラムの軸方向他方側に排出開口を備えるごみ貯留機と、前記ごみ貯留機の下流側に配置され、前記排出開口から排出されたごみを上方へ搬送する搬送装置と、を有するごみ収集システムであって、前記搬送装置は、スクリュー羽根と、前記スクリュー羽根を収容するとともに、少なくとも前記スクリュー羽根の下方が前記スクリュー羽根の外径に沿う形状の筒体と、を有する無軸スクリューコンベアであることを特徴とする。
【００１０】
上記構成によれば、搬送装置が中心軸を有さない無軸スクリューコンベアであるため、中心に軸を有するスクリューコンベアと比較して、ごみ袋が圧縮されて破袋するような事が起こりにくく、ごみ詰まりや絡みが減るので、安定して大粒なごみの搬送が可能となる。
また、集じん機、破砕機等の附帯設備が必要なくなるため、省スペースで初期投資費用が低く、維持費用も安いシステムの提供が可能となる。
【００１１】
上記ごみ収集システムにおいて、前記スクリュー羽根は、前記筒体の内周面に略直交する螺旋状の板部材からなり、前記スクリュー羽根の上方を向く面には、複数の突起が設けられていることが好ましい。
【００１２】
上記構成によれば、スクリュー羽根がごみを搬送する際、スクリュー羽根の上面に設けられた突起によってごみが下方に滑り落ちることが防止される。
【００１３】
上記ごみ収集システムにおいて、前記突起は、前記スクリュー羽根の巻き方向に直交する方向に延在する突条であることが好ましい。
上記構成によれば、スクリュー羽根がごみを搬送する際、スクリュー羽根の上面に設けられた突条が下方に滑り落ちようとするごみを堰き止めるため、ごみが下方に滑り落ちることが防止される。
【００１４】
また、上記ごみ収集システムにおいて、前記突条は、前記巻き方向に所定間隔で設けられていることが好ましい。
【００１５】
また、上記ごみ収集システムにおいて、前記突条の角部は丸くＲ処理されていることが好ましい。
上記構成によれば、突条の縁によってごみ袋が破れることを防止することができる。
【００１６】
また、上記ごみ収集システムにおいて、前記突起は、規則的に配置された複数の半球状の隆起としてもよい。
上記構成によれば、スクリュー羽根がごみを搬送する際、スクリュー羽根の上面に設けられた半球状の隆起が下方に滑り落ちようとするごみの抵抗となるため、ごみが下方に滑り落ちることが防止される。
【発明の効果】
【００１７】
本発明によれば、搬送装置が中心軸を有さない無軸スクリューコンベアであるため、中心に軸を有するスクリューコンベアと比較して、ごみ袋が圧縮されて破袋するような事が起こりにくく、ごみ詰まりや絡みが減るので、安定して大粒なごみの搬送が可能となる。
【図面の簡単な説明】
【００１８】
【図１】本発明の実施形態に係るごみ収集システムの側面図である。
【図２】本発明の実施形態に係るごみ収集システムの平面図である。
【図３】本発明の実施形態に係る無軸スクリューコンベアの側面図である。
【図４】本発明の実施形態に係るスクリュー羽根を構成する円板の平面図である。
【図５】図４のＡ−Ａ断面図である。
【図６】本発明の別の実施形態に係るスクリュー羽根を構成する円板の平面図である。
【図７】図６のＢ−Ｂ断面図である。
【図８】本発明の別の実施形態に係るごみ収集システムの側面図である。
【発明を実施するための形態】
【００１９】
以下、本発明の実施形態について図面を参照して詳細に説明する。
図１は、本実施形態のごみ収集システム１を示す側面図であり、図２は、ごみ収集システム１の平面図である。
【００２０】
図１及び図２に示すように、ごみ収集システム１は、集合住宅などの建築物の内部に設けられたものである。建築物は複数階層を有しており、建築物を上下方向に貫通するダストシュート２が設けられている。ダストシュート２を介して投入されたごみは、建築物の地階に設けられているごみ貯留機５に貯留される。ごみ収集システム１は、ごみ貯留機５に貯留されたごみを収集する際、ごみ収集車１４が停車可能な地上階へごみを搬送する搬送装置６を有するシステムである。
【００２１】
ダストシュート２は、いずれかの階層にごみを投入するためのごみ投入口３を有している。ごみ投入口３は、各階層に設けられている必要はなく、ダストシュート２が貫通する階層のうちいずれかに設けられていればよい。ダストシュート２は、第一落下通路部４を介してごみ貯留機５の受入れ開口に接続されている。
【００２２】
ごみ収集システム１は、ダストシュート２を介して投入されるごみを貯留するごみ貯留機５と、ごみ貯留機５の下流側に配置された無軸スクリューコンベア７とを有している。無軸スクリューコンベア７は、ごみ貯留機５から排出されたごみを地階から地上階へ搬送する搬送装置である。
【００２３】
ごみ貯留機５は、その一端側からごみが投入可能とされる一方、投入されたごみを他端側から強制的に排出可能となっており、略円筒状のドラム８と、ドラム８の一端側に設けられた受入開口９と、ドラム８の他端側に設けられた排出開口１０と、を有している。また、ごみ貯留機５は、ドラム８を中心軸回りに回転させる回転機構（図示せず）を有している。
【００２４】
また、ドラム８の内部には、螺旋状に形成されたスクリュー羽根（送り羽根、図示せず）などの押し込み機構が設けられており、この押し込み機構によってドラム８が所定の圧縮方向に回動されると、ドラム８の内部に投入されたごみが排出方向へ押し込まれて圧縮されるようになっている。
【００２５】
ごみ貯留機５の排出開口１０は、第二落下通路部１１と接続されている。第二落下通路部１１は、ごみ貯留機５の排出開口１０から排出されたごみを無軸スクリューコンベア７のコンベア投入口１９に導入するような形状とされている。無軸スクリューコンベア７は、地階と地上階に亘って配置されており、地上階側のコンベア排出口２０は、ごみ収集車１４の受入口１５にごみをガイドするためのスライダー１３上で開口している。無軸スクリューコンベア７は、その下部が地階の床面に固定され、上部が地上階の床面に固定されている。
また、ごみ貯留機５及び無軸スクリューコンベア７は、ごみ貯留機５のドラム８の軸方向と無軸スクリューコンベア７の軸方向とが直交するように配置されている。
【００２６】
図３に示すように、無軸スクリューコンベア７は、スクリュー羽根１７（送り羽根）と、スクリュー羽根１７を収容する円筒形状の筒体１８とを有している。無軸スクリューコンベア７は、傾斜して配置されており、筒体１８の下方にごみの投入口であるコンベア投入口１９が設けられており、上方にごみの排出口であるコンベア排出口２０が開口している。換言すれば、無軸スクリューコンベア７は、コンベア投入口１９が設けられている一端側から、コンベア排出口２０が開口している他端側に向かって上方に向かうように軸線が傾斜して配置されている。
【００２７】
スクリュー羽根１７の下端部には、板状の支持部材２１が接続されている。支持部材２１の中心には、スクリュー羽根１７の軸線方向であって下方に延在する回転軸２２が取り付けられており、回転軸２２は筒体１８の外部に延在している。回転軸２２は図示しない回転機構によって回転可能とされており、この回転軸２２は支持部材２１を介してスクリュー羽根１７と一体とされている。
【００２８】
スクリュー羽根１７は、図４に示すような中心に円形孔２５を有する所定厚さの円板２４を複数接続することによって形成されている。具体的には、円板２４に、径方向に延在する切り込み２６を設け、この切り込み２６同士を接続することで、螺旋状を成すように形成されている。スクリュー羽根１７は、１ピッチ毎に複数の円板２４を例えば溶接によって接合することによって形成されている。
【００２９】
円板２４は、一般構造用圧延鋼材、例えばＳＳ４００、ＳＵＳ３０４によって形成されている。なお、スクリュー羽根１７は、上述したように、複数の円板２４同士を接合することによって形成してもよいし、一体的に形成してもよい。
円板２４の外径及び円形孔２５の内径によって決定するスクリュー羽根１７の外径及び内径は、投入されるごみの大きさによって適宜決定される。
【００３０】
また、スクリュー羽根１７の面のうち、上方を向く面には、複数の突起２７が設けられている。具体的には、突起２７は、スクリュー羽根１７の巻き方向Ｗ（円板２４の周方向）に直交する方向に延在する突条２８であり、巻き方向Ｗに所定間隔をおいて設けられている。換言すれば、突条２８は、スクリュー羽根１７の径方向に延在しており、所定角度をおいて設けられている。図５に示すように、突条２８の断面形状における角部は丸くＲ処理されている。
【００３１】
また、突条２８は、例えば溶接によってスクリュー羽根１７の本体である円板２４に接合されているが、これに限ることはなく、円板２４と突条２８を一体に形成してもよい。
さらに、突条２８は、スクリュー羽根１７と同一の材料によって形成する必要はなく、例えば、エンジニアリングプラスチックなど樹脂や、ゴムなどを接着する構成としてもよい。
【００３２】
筒体１８は、スクリュー羽根１７を収容する円筒形状の部材であり、固定部３０（図１参照）を介して建築物の地階と地上階とに固定されている。筒体１８の内径は、スクリュー羽根１７の外径よりもやや大きく形成されている。即ち、スクリュー羽根１７と筒体１８の内周面との間には所定寸法の隙間が形成されている。筒体１８の軸線方向下方側の端部には、筒体１８内に投入されたごみの落下を阻止する封止板２３が取り付けられている。
【００３３】
筒体１８の軸線方向上方側の端部はコンベア排出口２０として開口されており、スクリュー羽根１７によって搬送されたごみがコンベア排出口２０から排出されるようになっている。
コンベア投入口１９は、筒体１８の下部に設けられ、筒体１８の内部と連通する円筒形状の部材であり、ごみ貯留機５の排出開口１０に接続された第二落下通路部１１と接続されている。筒体１８のコンベア投入口１９が接続された箇所は開口されており、コンベア投入口１９から投入されたごみが滞りなく筒体１８内に導入されるようになっている。
【００３４】
ごみ貯留機５のドラム８の直径、第二落下通路部１１の直径、コンベア投入口１９の直径、及び無軸スクリューコンベア７の筒体１８の直径は、略同一の直径、例えば１，０００ｍｍに形成されている。
また、ダストシュート２から無軸スクリューコンベア７に至るまでのごみ搬送路は、密閉されるように形成されている。例えば、コンベア投入口１９の上端はフランジを介して第二落下通路部１１と接続され、コンベア投入口１９の下端は一周に亘って筒体１８の外周面に溶接されている。
【００３５】
次に、本実施形態のごみ収集システム１の作用について説明する。
ダストシュート２に設けられているごみ投入口３から投入されたごみは、ダストシュート２内を落下した後、第一落下通路部４を介して建築物の地階に設けられているごみ貯留機５のドラム８内に貯留される。所定量のごみがごみ貯留機５のドラム８に貯留されると、ごみはごみ貯留機５の排出開口１０より排出され、第二落下通路部１１を介してごみの搬送装置６である無軸スクリューコンベア７の筒体１８内に投入される。無軸スクリューコンベア７に投入されたごみは、スクリュー羽根１７によって地階から上方の地上階へ搬送される。次いで、ごみは、無軸スクリューコンベア７の筒体１８のコンベア排出口２０より排出され、スライダー１３を介して、ごみ収集車１４の受入口１５に送り込まれる。
【００３６】
上記実施形態によれば、ごみを地階から地上階へ搬送するための搬送装置６として、無軸スクリューコンベア７を用いているため、中心に軸を有するスクリューコンベアと比較して、ごみ袋が圧縮されて破袋するような事が起こりにくく、ごみ詰まりや絡みが減るので、安定して大粒なごみの搬送が可能となる。
また、集じん機、破砕機等の附帯設備が必要なくなるため、省スペースで初期投資費用が低く、維持費用も安いシステムの提供が可能となる。
【００３７】
また、ダストシュート２から無軸スクリューコンベア７に至るまでのごみ搬送路が密閉された構造とされているため、ごみこぼれ対策として換気設備、排水設備を設ける必要がなく、初期投資費用が低いシステムを提供することができる。
【００３８】
また、スクリュー羽根１７の上面に突条２８が設けられているため、スクリュー羽根１７がごみを搬送する際、突条２８が下方に滑り落ちようとするごみを堰き止めるため、ごみが下方に滑り落ちることが防止される。
また、突条２８の角部は丸くＲ処理されているため、突条２８の縁によってごみ袋が破れることを防止することができる。
【００３９】
次に、突起２７の別の実施形態について説明する。
図６に示すように、突起２７を、規則的に配置された複数の半球状の隆起３１としてもよい。隆起３１は、スクリュー羽根１７の上面において、円板２４の径方向及び周方向（巻き方向Ｗ）に等間隔で設けられている。また、図７に示すように、隆起３１の断面形状における角部は丸くＲ処理されている。
隆起３１の材質も、スクリュー羽根１７と同一の金属でもよいし、樹脂やゴムでもよい。
【００４０】
上記実施形態によれば、スクリュー羽根１７がごみを搬送する際、スクリュー羽根１７の上面に設けられた半球状の隆起３１が下方に滑り落ちようとするごみの抵抗となるため、ごみが下方に滑り落ちることが防止される。
【００４１】
なお、本発明の技術範囲は上記の実施形態に限定されるものではなく、本発明の趣旨を逸脱しない範囲において、種々の変更を加えることが可能である。
例えば、以上で説明した実施形態では、ごみ貯留機５及び無軸スクリューコンベア７は、ごみ貯留機５のドラム８の軸方向と無軸スクリューコンベア７の軸方向とが直交するように配置されているがこれに限ることはない。例えば、図８に示すように、ごみ貯留機５と無軸スクリューコンベア７とは、ごみ貯留機５の軸線と無軸スクリューコンベア７の軸線とが同一直線上となるように配置してもよい。
【００４２】
また、以上で説明した実施形態では、無軸スクリューコンベア７は、地階に配置されたごみ貯留機５から排出されたごみを地上階に搬送するように構成されているが、ごみ貯留機５の配置階層は、地階に限ることはなく、例えば地上一階に配置されたごみ貯留機５から、地上二階に相当する階層に停車したごみ収集車１４にごみを搬送する構成としてもよい。
【符号の説明】
【００４３】
１…ごみ収集システム  ５…ごみ貯留機  ６…搬送装置  ７…無軸スクリューコンベア  ８…ドラム  ９…受入開口  １０…排出開口  １４…ごみ収集車  １７…スクリュー羽根  １８…筒体  ２７…突起  ２８…突条  ３１…隆起
【図１】
2014019550.tif 000003
【図２】
2014019550.tif 000004
【図３】
2014019550.tif 000005
【図４】
2014019550.tif 000006
【図５】
2014019550.tif 000007
【図６】
2014019550.tif 000008
【図７】
2014019550.tif 000009
【図８】
2014019550.tif 000010